(57)【特許請求の範囲】
【請求項１】
運搬者が握る取手と、前記取手に設けられた開口と、前記開口に付設された挟持体とを備え、変形自在な一枚の包装部材を袋状にしてその袋開口部を前記開口内に挿入して、前記挟持体と前記開口の開口縁との間で前記袋開口部を挟持するとともに前記挟持体は前記袋開口部が前記開口から引き出される方向へ移動した時に前記開口縁に接近するように構成され、前記挟持体は前記開口内で旋回腕によって旋回移動可能に支持されており、前記開口縁との間で前記袋開口部を挟持した状態でバネ部材のバネ力によって前記開口縁に接近するように旋回付勢されており、かつ、前記旋回腕から操作アームを開口外へ延出させて、当該操作アームを取手に接近する方向へ旋回操作することにより、前記バネ部材のバネ力に抗して前記挟持体を前記開口縁から離間する方向へ旋回させるようにした簡易運搬具。
【発明の詳細な説明】
【技術分野】
【０００１】
本発明は簡易運搬具に関し、特に、風呂敷やスカーフのような包装部材を使用して物品を簡易に運搬できるようにした簡易運搬具に関する。
【背景技術】
【０００２】
近年、スーパーマーケット等で無料配布される樹脂製のいわゆるレジ袋を、資源の有効利用や回収廃棄の手間軽減等の観点から廃止して、繰り返し使用可能な専用買物かごへ転換することが推奨されつつある。なお、特許文献１には袋の開口部を、ヒンジ部で折り曲げ可能な一対の嵌合片で挟持する提げ手が開示されている。
【特許文献１】特開２０００−２３８７９８
【発明の開示】
【発明が解決しようとする課題】
【０００３】
しかし、専用買物かごはその定形性のために、保管や、少量の荷物の持ち運びにも嵩張るという問題があるとともに、球形の荷物等は直径が寸法上の制約を越えると十分な収容容積があるにもかかわらず収納できないという問題もある。
【０００４】
そこで、本発明はこのような課題を解決するもので、保管等に嵩張らず、しかも荷物形状に応じて効率的にこれを収納して運搬できる簡易運搬具を提供することを目的とする。
【課題を解決するための手段】
【０００５】
上記目的を達成するために、本発明では、運搬者が握る取手（１）と、取手（１）に設けられた開口（１１）と、開口（１１）に付設された挟持体（２）とを備え、変形自在な一枚の包装部材（３）を袋状にしてその袋開口部（３１）を上記開口（１１）内に挿入して、挟持体（２）と開口（１１）の開口縁（１３１）との間で袋開口部（３１）を挟持するとともに挟持体（２）は袋開口部（３１）が開口（１１）から引き出される方向へ移動した時に開口縁（１３１）に接近するように構成され、挟持体（２）は開口（１１）内で旋回腕（２２）によって旋回移動可能に支持されており、開口縁（１３１）との間で袋開口部（３１）を挟持した状態でバネ部材（２５）のバネ力によって開口縁（１３１）に接近するように旋回付勢されており、かつ、旋回腕（２２）から操作アーム（２２３）を開口（１１）外へ延出させて、当該操作アーム（２２３）を取手（１）に接近する方向へ旋回操作することにより、バネ部材（２５）のバネ力に抗して挟持体（２）を開口縁（１３１）から離間する方向へ旋回させるようにしている。
【０００６】
本発明において、変形自在な一枚の包装部材を拡げて荷物を入れ、この荷物を包むように包装部材を袋状にする。その後、挟持体と開口縁の間に包装部材の袋開口部を挿入する。取手を握って袋状の包装部材を持ち上げると、包装部材内の荷物の自重で袋開口部は開口から引き出されようとするが、挟持体が開口縁に接近するように移動して挟持体と開口縁の間隔が狭まり、取手からの袋開口部の脱落が阻止されて、包装部材が取手に吊り下げられる。
【０００７】
本発明によれば、荷物を収納する袋部に、繰り返し使用可能な包装部材を使うことができるから、資源の無駄な消費が避けられるとともに、回収廃棄の手間も軽減される。そして、包装部材は折り畳んで小スペースで保管することができるとともに、異形の荷物であっても包装部材が自由に変形することによって無駄な空間を生じることなく効率的に収納し運搬することができる。
【０００９】
なお、上記カッコ内の符号は、後述する実施形態に記載の具体的手段との対応関係を示すものである。
【発明の効果】
【００１０】
以上のように、本発明の簡易運搬具によれば、保管等に嵩張らず、しかも荷物形状に応じて効率的にこれを収納して運搬することができる。
【発明を実施するための最良の形態】
【００１１】
（第１実施形態）
図１には簡易運搬具の正面図を示し、図２にはその側面図を示す。簡易運搬具Ｈは取手１を備えており、当該取手１は略矩形で一定幅のリング状に成形されて、その内空間は略矩形の開口１１となっている。取手１の略矩形断面（図２）をなす上辺は運搬者が握る握り部１２となっている。また、取手１の下辺１３は、開口縁を構成するその上面が後方（図２の右方）へ向けて傾斜して当接面１３１となっている。上記開口１１内には下辺１３に沿う上方位置に挟持体２が配設されている。挟持体２は円柱形をなし、その外周面には長手方向へ延びる滑り止めのローレット溝２１（図１）が周方向へ多数形成されている。
【００１２】
挟持体２の両端にはそれぞれ板状の旋回腕２２の先端（下端）２２１がピン２３によって結合されている。旋回腕２２は取手１の左右の側辺１４，１５に沿った開口１１内に上下方向へ向いて互いに平行に位置しており、その基端（上端）２２２はそれぞれ軸体２４によって各側辺１４，１５に回動可能に支持されている。旋回腕２２の先端２２１の旋回軌跡Ｌは途中で当接面１３１と交差している。なお、必ずしも交差させる必要はないが、交差させた方が挟持体２と当接面１３1による後述の袋開口部の挟持が効率的になされる。旋回腕２２と側辺１４の間には図３に示すような比較的弱いバネ力のバネ部材２５が一端２５１を側辺１４に、他端２５２を旋回腕２２に固定されて設けてある。旋回腕２２はバネ部材２５のバネ力によって当接面１３１に向けて旋回付勢されており、挟持体２の外周面が当接面１３１に接している。このようなバネ部材２５を設けると、挟持体２は取手１の姿勢変化に無関係に常時開口１１内に位置させられるから好ましい。
【００１３】
簡易運搬具Ｈを使用する場合には、変形自在な一枚の包装部材、例えば風呂敷３を図４に示すように拡げて荷物４を入れ、この荷物４を包むように風呂敷３の四隅をつまんで袋開口部３１とし、風呂敷３全体を袋状にする（図５）。その後、簡易運搬具Ｈの取手１内の挟持体２を図６に示すように当接面１３１から離間する方向へバネ力に抗して前方へ旋回させ、挟持体２と当接面１３１の間の開口１１内に、四隅をつまんで生じた袋開口部３１を後方から挿入する。続いて、挟持体２をバネ力で当接面１３１方向へ戻り旋回させると、図７に示すように挟持体２と当接面１３１との間に袋開口部３１が挟持される。
【００１４】
この状態で取手１を握って袋状の風呂敷３を持ち上げると、風呂敷３内の荷物４の自重で袋開口部３１は開口１１外へ引き出されようとするが、摩擦力で引かれる挟持体２は当接面１３１にさらに近接するように旋回移動して挟持体２と当接面１３１の間隔が狭まるから、取手１からの袋開口部３１の脱落が確実に阻止されて、風呂敷３が取手１に吊り下げられる。なお、挟持体２と当接面１３１の間の開口１１内へ袋開口部３１を挿入する際に、袋開口部３１の挿入と同時に挟持体２を当接面１３１から離間する方向へバネ力に抗して押圧旋回させるようにしても良い。
【００１５】
このようにして荷物４を収納した風呂敷３を簡易運搬具Ｈで運んだ後、荷物４を取り出す場合には、風呂敷３を床面上等に置いて荷物４の自重を解消し、挟持体２を掴んで当接面１３１から離間する方向へ旋回させた後に袋開口部３１を開口１１外へ引き出す。この際、袋開口部３１を一旦開口１１内へ挿入する方向へ押し込んで挟持体２を当接面１３１から離間する方向へ押圧旋回させ、この状態を維持しつつ袋開口部３１を開口１１外へ引き出すようにしても良い。
【００１６】
本実施形態の簡易運搬具Ｈによれば、荷物４を収納する袋部に、繰り返し使用可能な風呂敷３を使うことができるから、資源の無駄な消費が避けられるとともに、回収廃棄の手間も軽減される。そして、風呂敷３は折り畳んで小スペースで保管することができるとともに、異形の荷物４であっても風呂敷３が自由に変形することによって無駄な空間を生じることなく効率的に収納し運搬することができる。なお、風呂敷３に代えてスカーフ等を使用することもでき、また、風呂敷等は必ずしも四角形である必要はない。
【００１７】
スーパーマーケット等で買い物をする場合には図８に示すように買い物かご５内に風呂敷３を拡げておき、この状態で購入商品を買い物かご５内に入れてレジを通った後、商品を包むように風呂敷３の四隅をつまんで全体を袋開口部３１を有する袋状にして（図９）、既述の手順で袋開口部３１を挟持体２と取手１の当接面１３１との間に挟持させる。
【００１８】
図１０に示すように、風呂敷３の袋開口部３１を挟持体２の上方からこれの前側周面を経て当接面１３１との間に挿入するようにすると、風呂敷３の開口１１からの脱落がさらに確実に阻止される。
【００１９】
図１１に示すように風呂敷３を四つ折りにすると、つまんだ四つ角部の下方に四つの小さな袋部３２（うち二つを図示）が形成されるから、四つ角部を袋開口部３１として既述の手順で挟持体２と取手１の当接面１３１との間に挿入し挟持させることにより、各袋部３２内に小物商品等を手軽に収納して運搬することができる。
【００２０】
図１２に示すように、旋回腕２２の基端２２２から上方へ操作アーム２２３を延ばしておく。このようにすると、バネ部材のバネ力を大きくした場合にも、操作アーム２２３を掴んで挟持体２をバネ力に抗して当接面１３１から離間する方向へ容易に旋回させることができる。
【００２１】
（第２実施形態）
図１３に示すように、板材を略Ｌ字断面に成形して挟持体６としても良い。図１３において、挟持体６は金属板材を略Ｌ字断面に屈曲成形したもので、その水平部が挟持部６１に、起立部が旋回腕部６２になっている。旋回腕部６２の上端６２１は欠円形に湾曲させられて軸体２４の外周に回動可能に装着されており、挟持体６を後方（図１３の右方）へ旋回させると挟持部６１は次第に当接面１３１に接近する。本実施形態では第１実施形態におけるバネ部材２５は設けられていない。
【００２２】
このような構造において、挟持体６と当接面１３１の間の開口１１内に、上記第１実施形態で説明したように、風呂敷等の四隅をつまんで生じた袋開口部を後方から挿入する。袋開口部の挿入と同時に挟持体６を当接面１３１から離間する方向へ押圧旋回させる。この状態で取手１を握って袋状の風呂敷を持ち上げると、風呂敷内の荷物の自重で袋開口部は開口１１外へ引き出されようとするが、摩擦力で引かれる挟持体６は当接面１３１にさらに近接するように後方へ旋回移動して挟持部６１と当接面１３１の間隔が狭まるから、この間に袋開口部がさらに強く挟着されて、取手１からの袋開口部の脱落が確実に阻止され、風呂敷が取手１に吊り下げられる。
【図面の簡単な説明】
【００２３】
【図１】本発明の第１実施形態を示す、簡易運搬具の正面図である。
【図２】簡易運搬具の側面図である。
【図３】図１のIII−III線に沿った断面図である。
【図４】簡易運搬具の使用過程を示す風呂敷の斜視図である。
【図５】簡易運搬具の使用過程を示す、袋状にした風呂敷の側面図である。
【図６】簡易運搬具の使用過程を示す側面図である。
【図７】簡易運搬具の使用過程を示す側面図である。
【図８】簡易運搬具の他の使用過程を示す、買い物かご内に風呂敷を拡げた斜視図である。
【図９】簡易運搬具の他の使用過程を示す、買い物かご内の風呂敷を袋状にした斜視図である。
【図１０】簡易運搬具による風呂敷の他の吊下げ方法を示す側面図である。
【図１１】簡易運搬具による風呂敷のさらに他の吊下げ方法を示す側面図である。
【図１２】簡易運搬具の他の構造を示す側面図である。
【図１３】本発明の第２実施形態を示す簡易運搬具の断面図である。
【符号の説明】
【００２４】
１…取手、１１…開口、１３１…当接面（開口縁）、２…挟持体、２２…旋回腕、３…風呂敷（包装部材）、３１…袋開口部。
【要約】
【課題】 保管等に嵩張らず、しかも荷物形状に応じて効率的にこれを収納して運搬できる。
【解決手段】運搬者が握る取手１と、取手１に設けられた開口１１と、開口１１に付設された挟持体２とを備え、変形自在な一枚の包装部材３を袋状にしてその袋開口部３１を開口１１内に挿入して、挟持体２と開口１１の開口縁たる当接面１３１との間で袋開口部３１を挟持する。挟持体２は開口１１内で旋回腕２２によって旋回移動可能に支持されており、開口縁１３１との間で袋開口部３１を挟持した状態で袋開口部３１が開口１１から引き出される方向へ移動した時に当接面１３１に接近するように旋回移動させられる。  
【選択図】        図７【図１】
0004079988.tif 000002
【図２】
0004079988.tif 000003
【図３】
0004079988.tif 000004
【図４】
0004079988.tif 000005
【図５】
0004079988.tif 000006
【図６】
0004079988.tif 000007
【図７】
0004079988.tif 000008
【図８】
0004079988.tif 000009
【図９】
0004079988.tif 000010
【図１０】
0004079988.tif 000011
【図１１】
0004079988.tif 000012
【図１２】
0004079988.tif 000013
【図１３】
0004079988.tif 000014